(57)【要約】【課題】ユーザの利便性の向上を図る。【解決手段】信号変換部は、第１の外部機器から入力された第１の伝送規格信号を第２の伝送規格信号に変換する。例えば、第１の伝送規格では、画像データおよび音声データが１対の差動信号線を用いて伝送され、第２の伝送規格では、画像データおよび音声データが３対の差動信号線を用いて伝送される。信号選択部により、第１の外部機器から入力された第１の伝送規格信号または信号変換部で得られた第２の伝送規格信号を出力信号として選択する。制御部は、出力信号が供給される第２の外部機器が対応する伝送規格に応じて、信号選択部の選択動作を制御する。【選択図】図１４
2013046123.tif 000002
【特許請求の範囲】
【請求項１】
第１の外部機器から入力された第１の伝送規格信号を第２の伝送規格信号に変換する信号変換部と、
上記第１の外部機器から入力された第１の伝送規格信号または上記信号変換部で得られた第２の伝送規格信号を出力信号として選択する信号選択部と、
上記信号選択部で選択された出力信号が供給される第２の外部機器が対応する伝送規格に応じて上記信号選択部の選択動作を制御する制御部とを備える
信号変換装置。
【請求項２】
上記制御部は、
上記第２の外部機器が上記第１の伝送規格に対応しているとき、上記信号選択部が上記第１の伝送規格信号を出力信号として選択するように制御する
請求項１に記載の信号変換装置。
【請求項３】
上記制御部は、
上記第２の外部機器のインピーダンス検出を行うことで、該第２の外部機器が上記第１の伝送規格に対応しているか否かを判別する
請求項２に記載の信号変換装置。
【請求項４】
上記第１の伝送規格および上記第２の伝送規格では、画像データおよび音声データを差動信号線で伝送し、さらに、別の信号線で制御信号を伝送する
請求項１に記載の信号変換装置。
【請求項５】
上記第１の伝送規格では、第１の本数の信号線を用いて上記第１の伝送規格信号を伝送し、
上記第２の伝送規格では、上記第１の本数よりも多い第２の本数の信号線を用いて上記第２の伝送規格信号を伝送する
請求項４に記載の信号変換装置。
【請求項６】
上記第１の伝送規格では、上記画像データおよび上記音声データを１対の差動信号線を用いて伝送し、
上記第２の伝送規格では、上記画像データおよび上記音声データを３対の差動信号線を用いて伝送する
請求項５に記載の信号変換装置。
【請求項７】
内部回路に給電する電源を、上記第１の外部機器または上記第２の外部機器から受け取る電源受信部をさらに備える
請求項１に記載の信号変換装置。
【請求項８】
上記内部回路および上記第１の外部機器に給電するための電源線をさらに備え、
上記電源線には、上記第２の外部機器が上記第１の伝送規格に対応しているとき、該第２の外部機器から電源が供給される
請求項７に記載の信号変換装置。
【請求項９】
上記第２の外部機器に上記電源の供給を促すための抵抗器をさらに備え、
上記第２の外部機器は、上記抵抗器を検出することで、上記電源線に電源を供給する
請求項８に記載の信号変換装置。
【請求項１０】
上記電源線に、外部電源からの電源を供給するための電源入力部と、
上記第２の外部機器からの電源入力と上記外部電源からの電源入力との干渉を防止する電源干渉防止部とをさらに備える
請求項８に記載の信号変換装置。
【請求項１１】
上記電源干渉防止部は、
上記第２の外部機器から上記電源線への電源供給経路に挿入される第１のダイオードと、上記電源入力部から上記電源線への電源供給経路に挿入される第２ダイオードとからなるダイオードブリッジである
請求項１０に記載の信号変換装置。
【請求項１２】
第１の外部機器から入力された第１の伝送規格信号を第２の伝送規格信号に変換する信号変換ステップと、
上記第１の外部機器から入力された第１の伝送規格信号または上記信号変換ステップで得られた第２の伝送規格信号を出力信号として選択する信号選択ステップと、
上記信号選択ステップで選択された出力信号が供給される第２の外部機器が対応する伝送規格に応じて上記信号選択ステップの選択動作を制御する制御ステップとを備える
信号変換方法。
【請求項１３】
バッテリと、
上記バッテリを充電する充電部と、
電源端子と、
上記電源端子を上記充電部に接続する第１の接続状態または上記バッテリの出力を上記電源端子に接続する第２の接続状態を選択する状態選択部と、
上記状態選択部の選択動作を制御する制御部とを備え、
上記制御部は、
上記第１の接続状態が選択された状態で上記電源端子の電圧が規定値より低いとき、上記第２の接続状態を選択するように上記状態選択部の選択動作を制御する
端末装置。
【請求項１４】
上記制御部は、
上記第２の接続状態が選択されているとき、上記電源端子に電源を供給する外部機器からの電源供給の通知に基づいて、上記第１の接続状態を選択するように上記状態選択部の選択動作を制御する
請求項１３に記載の端末装置。
【請求項１５】
第１の伝送規格信号を出力する信号出力部をさらに備え、
上記外部機器は、上記信号出力部から出力される第１の伝送規格信号を第２の伝送規格信号に変換する機能を有する
請求項１４に記載の端末装置。
【発明の詳細な説明】
【技術分野】
【０００１】
本技術は、信号変換装置、信号変換方法および端末装置に関し、特に、電子機器の間に介在されて使用される信号変換装置等に関する。
【背景技術】
【０００２】
近年、例えば、ソース機器からシンク機器に画像および音声のデータを高速に伝送する通信インタフェースとして、ＨＤＭＩ(High Definition Multimedia Interface)等のインタフェースが普及しつつある。ソース機器は、例えば、ゲーム機、ＤＶＤ(Digital Versatile Disc)レコーダや、セットトップボックス、その他のＡＶソース（Audio Visual source）である。シンク機器は、例えば、テレビ受信機、プロジェクタ、その他のディスプレイである。例えば、非特許文献１には、ＨＤＭＩ規格の詳細についての記載がある。
【先行技術文献】
【非特許文献】
【０００３】
【非特許文献１】High-Definition Multimedia Interface Specification Version 1.3,June 22, 2006
【発明の概要】
【発明が解決しようとする課題】
【０００４】
ＨＤＭＩ規格は、主に固定機器間の接続を想定している。そのため、コネクタのピン数も１９ピンと多く、コネクタ外形寸法も大きく、携帯機器にとっては不利である。そこで、少ないピン数でコネクタを小型化し、さらにＨＤＭＩと同等のベースバンドビデオ伝送を行う新規格が検討され始めている。
【０００５】
テレビ受信機等のシンク機器にとっては、新規格のコネクタを追加することは、ユーザの利便性を損なうし、またスペース面、コスト面から不利である。広く普及したデジタルＡ／Ｖ入力ポートであるＨＤＭＩレセプタクルを新規格でも兼用できれば都合がよい。そのため、テレビ受信機等のシンク機器では、従来のＨＤＭＩレセプタクルを兼用し、回路のみで新規格に対応可能とすることが考えられている。
【０００６】
例えば、新規格対応（ＨＤＭＩ、新規格の双方対応）のテレビ受信機と新規格対応のモバイルフォーン（Mobile Phone）を接続する場合、新規格ケーブルを使用することにより、直接接続することが考えられる。また、例えば、新規格非対応（ＨＤＭＩのみ対応）のテレビ受信機と新規格対応のモバイルフォーンを接続する場合、新規格／ＨＤＭＩ変換回路を有するドングル（信号変換装置）とＨＤＭＩケーブルを使用し、ＨＤＭＩ接続することが考えられる。
【０００７】
この場合、例えば、ユーザが誤って、新規格対応（ＨＤＭＩ、新規格の双方対応）のテレビ受信機と新規格対応のモバイルフォーンを、ドングルとＨＤＭＩケーブルを使用して接続した場合に、自動的に新規格接続が行われれば便利である。これにより、新規格固有の機能が使えなくなるということを回避でき、ユーザにとって利便性が向上する。
【０００８】
本技術の目的は、ユーザの利便性の向上を図ることにある。
【課題を解決するための手段】
【０００９】
本技術の概念は、
第１の外部機器から入力された第１の伝送規格信号を第２の伝送規格信号に変換する信号変換部と、
上記第１の外部機器から入力された第１の伝送規格信号または上記信号変換部で得られた第２の伝送規格信号を出力信号として選択する信号選択部と、
上記信号選択部で選択された出力信号が供給される第２の外部機器が対応する伝送規格に応じて上記信号選択部の選択動作を制御する制御部とを備える
信号変換装置にある。
【００１０】
本技術において、信号変換部により、第１の外部機器から入力された第１の伝送規格信号が第２の伝送規格信号に変換される。例えば、第１の伝送規格および第２の伝送規格では、画像データおよび音声データが差動信号線で伝送され、さらに、別の信号線で制御信号が伝送される。その場合、例えば、第１の伝送規格では第１の本数の信号線を用いて第１の伝送規格信号が伝送され、第２の伝送規格では第１の本数よりも多い第２の本数の信号線を用いて第２の伝送規格信号が伝送される。
【００１１】
そして、その場合、例えば、第１の伝送規格では、画像データおよび音声データが１対の差動信号線を用いて伝送され、第２の伝送規格では、画像データおよび音声データが３対の差動信号線を用いて伝送される。ここで、例えば、第２の伝送規格はＨＤＭＩであり、第１の伝送規格はコネクタのピン数が少なくて済む新規格である。
【００１２】
信号選択部により、第１の外部機器から入力された第１の伝送規格信号または信号変換部で得られた第２の伝送規格信号が出力信号として選択される。そして、制御部により、信号選択部の選択動作が制御される。この場合、制御部では、出力信号が供給される第２の外部機器が対応する伝送規格に応じて、信号選択部の選択動作が制御される。
【００１３】
この場合、例えば、制御部では、第２の外部機器が第１の伝送規格に対応しているとき、信号選択部が第１の伝送規格信号を出力するように制御が行われる。この場合、例えば、制御部では、第２の外部機器のインピーダンス検出が行われることで、この第２の外部機器が第１の伝送規格に対応しているか否かが判別される。
【００１４】
このように本技術においては、第２の外部機器が対応する伝送規格に応じて、第１の外部機器から入力された第１の伝送規格信号または信号変換部で得られた第２の伝送規格信号が出力信号とされる。そのため、第１の外部機器が第１の伝送規格に対応し、第２の外部機器が第１の伝送規格に対応しているとき、第１の外部機器と第２の外部機器とは第１の伝送規格で直接接続された状態となり、第１の伝送規格固有の機能が使える状態となる。したがって、本技術においては、ユーザの利便性の向上を図ることができる。
【００１５】
なお、本技術において、例えば、内部回路に給電する電源を、第１の外部機器または第２の外部機器から受け取る電源受信部をさらに備える、ようにされてもよい。この場合、例えば、内部回路および第１の外部機器に給電するための電源線をさらに備え、電源線には、第２の外部機器が第１の伝送規格に対応しているとき、この第２の外部機器から電源が供給される。そして、この場合、例えば、第２の外部機器に電源の供給を促すための抵抗器をさらに備え、第２の外部機器は、この抵抗器を検出することで、電源線に電源を供給する。このように電源受信部が設けられることで、ＡＣアダプタ等の外部電源から電源の供給を受けることなく、動作が可能となる。
【００１６】
また、本技術において、例えば、電源線に、外部電源からの電源を供給するための電源入力部と、第２の外部機器からの電源入力と外部電源からの電源入力との干渉を防止する電源干渉防止部とをさらに備える、ようにされてもよい。この場合、例えば、電源干渉防止部は、第２の外部機器から電源線への電源供給経路に挿入される第１のダイオードと、電源入力部から電源線への電源供給経路に挿入される第２ダイオードとからなるダイオードブリッジとされる。この場合、ＡＣアダプタ等の外部電源からも、良好に電源供給が可能となる。
【００１７】
また、本技術の他の概念は、
バッテリと、
上記バッテリを充電する充電部と、
電源端子と、
上記電源端子を上記充電部に接続する第１の接続状態または上記バッテリの出力を上記電源端子に接続する第２の接続状態を選択する状態選択部と、
上記状態選択部の選択動作を制御する制御部とを備え、
上記制御部は、
上記第１の接続状態が選択された状態で上記電源端子の電圧が規定値より低いとき、上記第２の接続状態を選択するように上記状態選択部の選択動作を制御する
端末装置にある。
【００１８】
本技術において、状態選択部により、電源端子をバッテリの充電部に接続する第１の接続状態またはバッテリの出力を電源端子に接続する第２の接続状態が選択される。この状態選択部の選択動作は、制御部により制御される。この場合、第１の接続状態が選択された状態で電源端子の電圧が規定値より低いとき、第２の接続状態を選択するように状態選択部の選択動作が制御される。これにより、外部機器からの電源の供給がないとき、バッテリから電源端子を通じて外部機器に電源を供給することが可能となる。
【００１９】
なお、本技術において、例えば、制御部は、第２の接続状態が選択されているとき、電源端子に電源を供給する外部機器からの電源供給の通知に基づいて、第１の接続状態を選択するように状態選択部の選択動作を制御する、ようにされてもよい。そして、例えば、第１の伝送規格信号を出力する信号出力部をさらに備え、外部機器は、信号出力部から出力される第１の伝送規格信号を第２の伝送規格信号に変換する機能を有するものである。
【発明の効果】
【００２０】
本技術によれば、ユーザの利便性の向上を図ることができる。
【図面の簡単な説明】
【００２１】
【図１】ソース機器とシンク機器がケーブルで接続されてなるＡＶシステムの構成例を示すブロック図である。
【図２】ＡＶシステムにおける、ソース機器のデータ送信部と、シンク機器のデータ受信部の構成例を示す図である（ＨＤＭＩ規格のデジタルインタフェースの場合）。
【図３】ＨＤＭＩのＴＭＤＳチャネルで伝送されるＴＭＤＳ伝送データ構造の一例を示す図である。
【図４】ＨＤＭＩ機器に設けられるＨＤＭＩ端子のピン配列（タイプＡ）を示す図である。
【図５】ＡＶシステムにおける、ソース機器のデータ送信部と、シンク機器のデータ受信部の構成例を示す図である（新規格のデジタルインタフェースの場合）。
【図６】トランスミッタにおけるドライバ構成と、レシーバにおけるレシーバ構成の一例を示す図である。
【図７】ケーブル上のシングルエンド波形と、データ差動波形と、クロックコモンモード波形の一例を示す図である。
【図８】ＨＤＭＩと新規格におけるＴＭＤＳクロックと内部クロックの関係を説明するための図である。
【図９】新規格対応のモバイルフォーンと新規格対応のテレビ受信機が新規格ケーブルで接続されてなるＡＶシステムの構成例を示すブロック図である。
【図１０】モバイルフォーンの制御回路とテレビ受信機の制御回路におけるインピーダンス検出手順を説明するための図である。
【図１１】新規格対応のモバイルフォーンと新規格非対応（ＨＤＭＩ対応）のテレビ受信機との間にドングルが介在されてなるＡＶシステムの構成例を示すブロック図である。
【図１２】新規格／ＨＤＭＩ変換回路および制御回路による、ＨＤＭＩにおけるＣＥＣ，ＤＤＣ，ＨＰＤのラインの信号と新規格におけるＣＢＵＳラインの信号の双方向変換を説明するための図である。
【図１３】新規格対応のモバイルフォーンと新規格対応のテレビ受信機との間にドングルが介在されてなるＡＶシステムの構成例を示すブロック図である。
【図１４】新規格対応のモバイルフォーンと新規格対応のテレビ受信機との間にドングルが介在されてなる、本技術の実施の形態としてのＡＶシステムの構成例を示すブロック図である。
【図１５】モバイルフォーンの制御回路とドングルの制御回路におけるインピーダンス検出手順を説明するための図である。
【図１６】新規格対応のモバイルフォーンと新規格非対応のテレビ受信機との間にドングルが介在されてなる、本技術の実施の形態としてのＡＶシステムの他の構成例を示すブロック図である。
【図１７】新規格対応のモバイルフォーンと新規格対応のテレビ受信機との間にドングルが介在されてなる、本技術の実施の形態としてのＡＶシステムの他の構成例を示すブロック図である。
【発明を実施するための形態】
【００２２】
以下、発明を実施するための形態（以下、「実施の形態」とする）について説明する。なお、説明は以下の順序で行う。
１．実施の形態
２．変形例
【００２３】
＜１．実施の形態＞
［ＡＶシステムの構成］
図１は、ＡＶ（Audio and Visual）システム１００の構成例を示している。このＡＶシステム１００は、ソース機器１１０とシンク機器１２０とが接続されて構成されている。ソース機器１１０は、例えば、ゲーム機、ディスクプレーヤ、セットトップボックス、デジタルカメラ、モバイルフォーンなどのＡＶソースである。シンク機器１２０は、例えば、テレビ受信機、プロジェクタ等である。
【００２４】
ソース機器１１０およびシンク機器１２０は、ケーブル２００を介して接続されている。ソース機器１１０には、データ送信部１１２が接続されたコネクタ部１１１が設けられている。シンク機器１２０には、データ受信部１２２が接続されたコネクタ部１２１が設けられている。ケーブル２００の一端はソース機器１１０のコネクタ部１１１に接続され、このケーブル２００の他端はシンク機器１２０のコネクタ部１２１に接続されている。
【００２５】
最初に、ソース機器１１０のデータ送信部１１２およびシンク機器１２０のデータ受信部１２２が、ＨＤＭＩ規格のデジタルインタフェースに対応している場合について説明する。その場合、ソース機器１１０およびシンク機器１２０を接続するケーブル２００はＨＤＭＩケーブルとなる。図２は、ソース機器１１０のデータ送信部１１２と、シンク機器１２０のデータ受信部１２２の構成例を示している。
【００２６】
データ送信部１１２は、有効画像区間（以下、適宜、アクティブビデオ区間ともいう）において、非圧縮の１画面分の画像の画素データに対応する差動信号を、複数のチャネルで、データ受信部１２２に一方向に送信する。ここで、有効画像区間は、一の垂直同期信号から次の垂直同期信号までの区間から、水平帰線区間および垂直帰線区間を除いた区間である。また、データ送信部１１２は、水平帰線区間または垂直帰線区間において、少なくとも画像に付随する音声データや制御データ、その他の補助データ等に対応する差動信号を、複数のチャネルで、データ受信部１２２に一方向に送信する。
【００２７】
データ送信部１１２とデータ受信部１２２とからなるＨＤＭＩシステムの伝送チャネルには、以下の伝送チャネルがある。すなわち、データ送信部１１２からデータ受信部１２２に対して、画素データおよび音声データを、ＴＭＤＳクロックに同期して、一方向にシリアル伝送するための伝送チャネルとしての、３つのＴＭＤＳチャネル＃０〜＃２がある。また、データ送信部１１２からデータ受信部１２２に対して、ＴＭＤＳクロックを伝送する伝送チャネルとしての、ＴＭＤＳクロックチャネルがある。
【００２８】
データ送信部１１２は、ＨＤＭＩトランスミッタ８１を有する。このＨＤＭＩトランスミッタ８１は、例えば、非圧縮の画像の画素データを対応する差動信号に変換し、複数のチャネルである３つのＴＭＤＳチャネル＃０，＃１，＃２で、ＨＤＭＩケーブルを介して接続されているデータ受信部１２２に、一方向にシリアル伝送する。また、ＨＤＭＩトランスミッタ８１は、非圧縮の画像に付随する音声データ、さらには、必要な制御データその他の補助データ等を、対応する差動信号に変換し、３つのＴＭＤＳチャネル＃０，＃１，＃２でデータ受信部１２２に、一方向にシリアル伝送する。
【００２９】
さらに、ＨＤＭＩトランスミッタ８１は、３つのＴＭＤＳチャネル＃０，＃１，＃２で送信する画素データに同期したＴＭＤＳクロックを、ＴＭＤＳクロックチャネルで、ＨＤＭＩケーブルを介して接続されているデータ受信部１２２に送信する。ここで、１つのＴＭＤＳチャネル＃ｉ（ｉ＝０，１，２）では、ＴＭＤＳクロックの１クロックの間に、１０ビットの画素データが送信される。
【００３０】
データ受信部１２２は、アクティブビデオ区間において、複数のチャネルで、データ送信部１１２から一方向に送信されてくる、画素データに対応する差動信号を受信する。また、このデータ受信部１２２は、水平帰線区間または垂直帰線区間において、複数のチャネルで、データ送信部１１２から一方向に送信されてくる、音声データや制御データに対応する差動信号を受信する。
【００３１】
すなわち、データ受信部１２２は、ＨＤＭＩレシーバ８２を有する。このＨＤＭＩレシーバ８２は、ＴＭＤＳチャネル＃０，＃１，＃２で、データ送信部１１２から一方向に送信されてくる、画素データに対応する差動信号と、音声データや制御データに対応する差動信号を受信する。この場合、データ送信部１１２からＴＭＤＳクロックチャネルで送信されてくるＴＭＤＳクロックに同期して受信する。
【００３２】
ＨＤＭＩシステムの伝送チャネルには、ＤＤＣ（Display Data Channel）やＣＥＣ（Consumer Electronics Control）ラインと呼ばれる伝送チャネルもある。ＤＤＣは、ＨＤＭＩケーブルに含まれる図示しない２本の信号線からなる。ＤＤＣは、データ送信部１１２が、データ受信部１２２から、Ｅ−ＥＤＩＤ（Enhanced Extended Display Identification Data）を読み出すためなどに使用される。
【００３３】
すなわち、データ受信部１２２は、ＨＤＭＩレシーバ８１の他に、自身の性能（Configuration/capability）に関する性能情報であるＥ−ＥＤＩＤを記憶している、ＥＤＩＤ  ＲＯＭ(Read Only Memory)を有している。データ送信部１１２は、例えば、図示しない制御部からの要求に応じて、ＨＤＭＩケーブルを介して接続されているデータ受信部１２２から、Ｅ−ＥＤＩＤを、ＤＤＣを介して読み出す。
【００３４】
データ送信部１１２は、読み出したＥ−ＥＤＩＤを制御部に送る。制御部は、このＥ−ＥＤＩＤを、図示しないフラッシュＲＯＭあるいはＤＲＡＭに格納する。制御部は、Ｅ−ＥＤＩＤに基づき、データ受信部１２２の性能の設定を認識できる。例えば、制御部は、データ受信部１２２を有するシンク機器１２０が立体画像データの取り扱いが可能か否か、可能である場合はさらにいかなるＴＭＤＳ伝送データ構造に対応可能であるか等を認識する。
【００３５】
ＣＥＣラインは、ＨＤＭＩケーブルに含まれる図示しない１本の信号線からなり、データ送信部１１２とデータ受信部１２２との間で、制御用のデータの双方向通信を行うために用いられる。このＣＥＣラインは、制御データラインを構成している。
【００３６】
また、ＨＤＭＩケーブルには、ＨＰＤ(Hot Plug Detect)と呼ばれるピンに接続されるライン（ＨＰＤライン）が含まれている。ソース機器は、このＨＰＤラインを利用して、シンク機器の接続を検出することができる。また、ＨＤＭＩケーブルには、ソース機器からシンク機器に電源を供給するために用いられる電源ライン（+5VPower Line）が含まれている。さらに、ＨＤＭＩケーブルには、リザーブライン（Reserve）が含まれている。
【００３７】
図３は、ＴＭＤＳ伝送データの構造例を示している。この図３は、ＴＭＤＳチャネル＃０，＃１，＃２において、横×縦が１９２０ピクセル×１０８０ラインの画像データが伝送される場合の、各種の伝送データの区間を示している。
【００３８】
ＨＤＭＩの３つのＴＭＤＳチャネル＃０，＃１，＃２で伝送データが伝送されるビデオフィールド（Video Field）には、伝送データの種類に応じて、３種類の区間が存在する。この３種類の区間は、ビデオデータ区間（Video Data period）、データアイランド区間（Data Islandperiod）、およびコントロール区間（Control period）である。
【００３９】
ここで、ビデオフィールド区間は、ある垂直同期信号の立ち上がりエッジ（activeedge）から次の垂直同期信号の立ち上がりエッジまでの区間である。このビデオフィールド区間は、水平ブランキング期間（horizontal blanking）、垂直ブランキング期間（verticalblanking）、並びに、アクティブビデオ区間（Active Video）に分けられる。このアクティブビデオ区間は、ビデオフィールド区間から、水平ブランキング期間および垂直ブランキング期間を除いた区間である
【００４０】
ビデオデータ区間は、アクティブビデオ区間に割り当てられる。このビデオデータ区間では、非圧縮の１画面分の画像データを構成する１９２０ピクセル（画素）×１０８０ライン分の有効画素（Active pixel）のデータが伝送される。
【００４１】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００４２】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００４３】
図４は、ＨＤＭＩレセプタクルのピン配列の一例を示している。図４に示すピン配列はタイプＡ（type-A）と呼ばれている。ＴＭＤＳチャネル＃ｉの差動信号であるＴＭＤＳ  Ｄａｔａ＃ｉ＋とＴＭＤＳ  Ｄａｔａ＃ｉ−は差動線である２本のラインにより伝送される。この２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００４４】
また、制御用のデータであるＣＥＣ信号が伝送されるＣＥＣラインは、ピン番号が１３であるピンに接続される。また、Ｅ−ＥＤＩＤ等のＳＤＡ(Serial Data)信号が伝送されるラインは、ピン番号が１６であるピンに接続される。ＳＤＡ信号の送受信時の同期に用いられるクロック信号であるＳＣＬ(Serial Clock)信号が伝送されるラインは、ピン番号が１５であるピンに接続される。上述のＤＤＣは、ＳＤＡ信号が伝送されるラインおよびＳＣＬ信号が伝送されるラインにより構成される。
【００４５】
また、上述したようにソース機器がシンク機器の接続を検出するためのＨＰＤラインは、ピン番号が１９であるピンに接続される。また、リザーブラインは、ピン番号が１４であるピンに接続される。また、上述したように電源を供給するための電源ラインは、ピン番号が１８であるピンに接続される。
【００４６】
次に、ソース機器１１０のデータ送信部１１２およびシンク機器１２０のデータ受信部１２２が、新規格のデジタルインタフェースに対応している場合について説明する。その場合、ソース機器１１０およびシンク機器１２０を接続するケーブル２００は新規格ケーブルとなる。図５は、ソース機器１１０のデータ送信部１１２と、シンク機器１２０のデータ受信部１２２の構成例を示している。この図５において、図２と対応する部分には同一符号を付して示し、適宜、その詳細説明を省略する。
【００４７】
データ送信部１１２は、有効画像区間（以下、適宜、アクティブビデオ区間ともいう）において、非圧縮の１画面分の画像の画素データに対応する差動信号を、１つのＴＭＤＳチャネル＃０で、データ受信部１２２に一方向に送信する。ここで、有効画像区間は、一の垂直同期信号から次の垂直同期信号までの区間から、水平帰線区間及び垂直帰線区間を除いた区間である。また、データ送信部１１２は、水平帰線区間または垂直帰線区間において、少なくとも画像に付随する音声データや制御データ、その他の補助データ等に対応する差動信号を、同じＴＭＤＳチャネル＃０で、データ受信部１２２に一方向に送信する。
【００４８】
この場合、内部クロックは、ＨＤＭＩ規格（図２参照）の場合の三倍とされることで、ＴＭＤＳチャネル＃０だけでの伝送を可能にしている。また、ＴＭＤＳクロック自身も、ＴＭＤＳチャネル＃０にコモンモードで重畳することで、ＴＭＤＳクロックチャネルも不要としている。図５の場合、送信側コネクタのＰＩＮ１，２の２ピンが使用される。
【００４９】
データ送信部１１２は、トランスミッタ８１Ａを有する。このトランスミッタ８１Ａは、例えば、非圧縮の画像の画素データを対応する差動信号に変換し、１つのＴＭＤＳチャネル＃０で、ＨＤＭＩケーブルあるいは新規格ケーブルを介して接続されているデータ受信部１２２に、一方向にシリアル伝送する。また、トランスミッタ８１Ａは、非圧縮の画像に付随する音声データ、さらには、必要な制御データその他の補助データ等を、対応する差動信号に変換し、１つのＴＭＤＳチャネル＃０でデータ受信部１２２に、一方向にシリアル伝送する。
【００５０】
データ受信部１２２は、アクティブビデオ区間において、１つのＴＭＤＳチャネル＃０で、データ送信部１１２から一方向に送信されてくる、画素データに対応する差動信号を受信する。また、このデータ受信部１２２は、水平帰線区間または垂直帰線区間において、１つのＴＭＤＳチャネル＃０で、データ送信部１１２から一方向に送信されてくる、音声データや制御データに対応する差動信号を受信する。すなわち、データ受信部１２２は、レシーバ８２Ａを有する。このレシーバ８２Ａは、ＴＭＤＳチャネル＃０で、データ送信部１１２から一方向に送信されてくる、画素データに対応する差動信号と、音声データや制御データに対応する差動信号を受信する。
【００５１】
また、ＣＥＣ，ＤＤＣ，ＨＰＤのラインとして、１本のＣＢＵＳライン（CBUS Line）が使用される。また、電源ライン（+5VPower Line）は省略される。また、ＵＳＢのように携帯ソース機器充電用にＶＢＵＳライン（VBUS Line）が追加され、さらに、共通にグランドライン（Grand Line）が設けられる。
【００５２】
図５の場合、送信側コネクタにおいて、ＣＢＵＳラインは、ピン番号が３であるピンに接続される。また、ＶＢＵＳラインは、ピン番号が４であるピンに接続される。さらに、グランドラインは、ピン番号が５であるピンに接続される。そのため、この図５に示す新規格のデジタルインタフェースでは、受信側ＨＤＭＩレセプタクル（Ａタイプ）の１９ピンのうち、残りの１４ピンが未使用となる。
【００５３】
図６は、トランスミッタ８１Ａにおけるドライバ構成と、レシーバ８２Ａにおけるレシーバ構成の一例を示している。すなわち、トランスミッタ８１Ａにおいては、データの差動送信（ディッファレンシャルモード送信）のための差動ドライバと、ＴＭＤＳクロックのコモンモード送信のためのコモンモードドライバとが備えられている。一方、レシーバ８２Ａにおいては、データの差動受信のための差動レシーバと、ＴＭＤＳクロックのコモンモード受信のためのコモンモードレシーバとが備えられている。
【００５４】
図７（ａ）は、ケーブル上のシングルエンド波形の一例を示している。そして、図７（ｂ）は、レシーバ８２Ａの差動レシーバで受信されるデータの差動波形の一例を示し、図７（ｃ）は、レシーバ８２Ａのコモンモードレシーバで受信されるクロックコモンモード波形の一例を示している。
【００５５】
また、図８は、ＴＭＤＳクロックと内部クロックの関係を示している。図８（ａ）は、ＨＤＭＩの場合を示している。ＨＤＭＩの場合、チャネル＃０で青色データが伝送され、チャネル＃１で緑色データが伝送され、チャネル＃２で赤色データが伝送される。このＨＤＭＩの場合、単位時間当たりに転送するビット数をＢＲとするとき、内部クロック＝１／ＢＲの関係になる。図８（ｂ）は、新規格（３倍内部クロック）の場合を示している。新規格の場合、チャネル＃０で、青色データ、緑色データ、赤色データの全てが伝送される。この新規格の場合、内部クロック＝３＊１／ＢＲの関係になる。
【００５６】
図９は、ＡＶシステム１００Ａの構成例を示している。このＡＶシステム１００Ａは、ソース機器としてのモバイルフォーン１１０Ａと、シンク機器としてのテレビ受信機１２０Ａが接続されて構成されている。モバイルフォーン１１０Ａおよびテレビ受信機１２０Ａは新規格に対応しており、新規格ケーブル２００Ａにより接続されている。
【００５７】
新規格ケーブル２００Ａは、信号線として、電源線２０１、グランド（ＧＮＤ）線２０２、Ａ／Ｖ信号線（差動）２０３および制御信号線２０４を備えている。この新規格ケーブル２００Ａのソース側端には、例えばマイクロＵＳＢコネクタに対応した構成のプラグが設けられている。また、この新規格ケーブル２００Ａのシンク側端には、例えばＨＤＭＩコネクタ（タイプＡ）に対応した構成のプラグが設けられている。
【００５８】
この新規格ケーブル２００Ａのシンク側端には、特定の２つのピン間に挿入されたケーブル検出用の抵抗２０５が設けられている。新規格対応のシンク機器は、この抵抗２０５を検出することで、新規格ケーブル２００Ａの接続を認識でき、その電源線２０１に対する電源の供給を開始する。
【００５９】
モバイルフォーン１１０Ａは、新規格送信回路１１２Ａと、制御回路１１３Ａと、バッテリ１１４と、充電回路１１５を有している。新規格送信回路１１２Ａは、新規格のデジタルインタフェースに対応可能なデータ送信部（図５参照）を構成している。制御回路１１３Ａは、モバイルフォーン１１０Ａの各部の動作を制御する。新規格送信回路１１２Ａおよび制御回路１１３Ａは、コネクタ部１１１Ａに接続されている。
【００６０】
テレビ受信機１２０Ａは、新規格受信回路１２２Ａと、制御回路１２３Ａと、検出回路１２４と、定電圧回路１２５と、スイッチ回路１２６を有している。新規格受信回路１２２Ａは、新規格のデジタルインタフェースに対応可能なデータ受信部（図５参照）を構成している。制御回路１２３Ａは、テレビ受信機１２０Ａの各部の動作を制御する。新規格受信回路１２２Ａおよび制御回路１２３Ａは、コネクタ部１２１Ａに接続されている。
【００６１】
検出回路１２４は、新規格ケーブル２００Ａに配置されている抵抗２０５を検出することで、新規格ケーブル２００Ａの接続を検出する。スイッチ回路１２６は、検出回路１２４の検出出力に基づき、新規格ケーブル２００Ａの接続があるときに接続状態となり、定電圧回路１２５からコネクタ部１２１Ａを介して、新規格ケーブル２００Ａの電源線に電源を供給する。これにより、テレビ受信機１２０Ａから新規格ケーブル２００Ａを介してモバイルフォーン１１０Ａに電源が供給される。
【００６２】
モバイルフォーン１１０Ａの制御回路１１３Ａおよびテレビ受信機１２０Ａの制御回路１２３Ａは、新規格ケーブル２００Ａの制御信号線を介して、インピーダンス検出により、相手が新規格対応機器であるか確認する。この確認の後、モバイルフォーン１１０Ａの新規格送信回路１１２Ａからテレビ受信機１２０Ａの新規格受信回路１２２Ａに対して、新規格による画像データ等の送信が行われる。
【００６３】
ここで、図１０を参照して、制御回路１１３Ａ，１２３Ａにおけるインピーダンス検出手順について説明する。例えば、制御回路１２３Ａ内で制御信号線２０４とグランド線２０２との間に挿入されるプルダウン（Pull-Down）抵抗１２３ａの抵抗値Ｒ１を１ｋΩとする。また、例えば、制御回路１１３Ａ内で制御信号線２０４と電源（Ｖcc＝＋５Ｖ）との間に挿入されるプルアップ（Pull-Up）抵抗１１３ａの抵抗値Ｒ２を１００ｋΩとする。
【００６４】
制御回路１１３Ａの検出回路１１３ｂは、制御信号線２０４の電圧をモニタし、基準の電圧（Ｖref）より高い場合は、高レベル“Ｈ”を出力し、逆に低い場合は、低レベル“Ｌ”を出力する。ここで、Ｖrefは、Ｖcc＊Ｒ１／（Ｒ１＋Ｒ２）＝５Ｖ＊１／１０１＝約０．０５Ｖより高い電圧、例えば、２．５Ｖに設定される。
【００６５】
新規格ケーブル２００Ａが接続される前は、制御信号線２０４の電圧は、ほぼＶccであり、検出回路１１３ｂの出力は高レベル“Ｈ”である。新規格ケーブル２００Ａが接続されると、制御信号線２０４の電圧は、抵抗１１３ａ，１２３ａで分圧された電圧（約０．０５Ｖ）になり、検出回路１１３ｂの出力は低レベル“Ｌ”となる。これにより、モバイルフォーン１１０Ａの制御回路１１３Ａは、新規格対応のシンク機器が接続されたことを検出できる。
【００６６】
次に、制御回路１１３Ａのパルス送信回路１１３ｃから、予め決められたパルス列を送信する。制御回路１２３Ａのパルス受信回路１２３ｂは、制御回路１１３Ａから送られてくるパルス列を受信する。これにより、テレビ受信機１２０Ａの制御回路１２３Ａは、新規格対応のソース機器が接続されたことを検出できる。
【００６７】
図１１は、ＡＶシステム１００Ｂの構成例を示している。この図１１において、図９と対応する部分には同一符号を付し、適宜、その詳細説明は省略する。このＡＶシステム１００Ｂは、ソース機器としてのモバイルフォーン１１０Ａと、シンク機器としてのテレビ受信機１２０Ｂが接続されて構成されている。モバイルフォーン１１０Ａは新規格に対応しており、テレビ受信機１２０Ｂは、新規格には非対応で、ＨＤＭＩに対応している。モバイルフォーン１１０Ａおよびテレビ受信機１２０Ｂは、信号変換装置としてのドングル（Dongle）２００ＢａおよびＨＤＭＩケーブル２００Ｂｂの直列回路により接続されている。
【００６８】
ドングル２００Ｂａは、内部回路とソース機器、ここではモバイルフォーン１１０Ａに給電するための電源線２３１と、この電源線２３１にＡＣアダプタ等の外部電源３００からの電源を供給するための電源入力部２３２を有している。また、このドングル２００Ｂａは、Ａ／Ｖ信号に関する新規格／ＨＤＭＩ変換回路２３３と、制御信号に関する新規格／ＨＤＭＩ変換回路２３４と、ソース側の制御回路２３５と、シンク側の制御回路２３６を有している。
【００６９】
新規格／ＨＤＭＩ変換回路２３３は、１対の差動信号線で伝送する新規格のＡ／Ｖ信号（画像データ、それに付随する音声データや制御データ、その他の補助データ等）を入力し、３対の差動信号線で伝送するＨＤＭＩのＡ／Ｖ信号に変換して出力する。新規格／ＨＤＭＩ変換回路２３４は、制御回路２３５，２３６と相俟って、ＨＤＭＩにおけるＣＥＣ，ＤＤＣ，ＨＰＤの各ラインの信号と新規格におけるＣＢＵＳラインの信号を、双方向に変換する。
【００７０】
ドングル２００Ｂａは、ソース側に新規格ケーブル２３７を備えている。この新規格ケーブル２３７の先端には、例えばマイクロＵＳＢコネクタに対応した構成のプラグが設けられている。このプラグが、コネクタ部１１１Ａにおいて、モバイルフォーン１１０Ａのレセプタクルに接続される。これにより、ドングル２００Ｂａとモバイルフォーン１１０Ａとの接続が図られる。
【００７１】
上述した電源線２３１は、この新規格ケーブル２３７の電源線に接続されている。これにより、外部電源３００からの電源が新規格ケーブル２３７の電源線を介して、モバイルフォーン１１０Ａに供給される。また、上述した新規格／ＨＤＭＩ変換回路２３３の入力側は、この新規格ケーブル２３７のＡ／Ｖ信号線（新規格）に接続されている。さらに、上述した制御回路２３５は、この新規格ケーブル２３７の制御信号線（ＣＢＵＳライン）に接続されている。
【００７２】
また、ドングル２００Ｂａは、シンク側に、例えばＨＤＭＩコネクタ（タイプＡ）に対応した構成のレセプタクルが設けられている。このレセプタクルに、ＨＤＭＩケーブル２００Ｂｂの一方のプラグが接続されて、コネクタ部２３０が構成されている。上述した新規格／ＨＤＭＩ変換回路２３３の出力側は、このＨＤＭＩケーブル２００ＢｂのＡ／Ｖ信号線（ＨＤＭＩ）に接続される。また、上述した制御回路２３６は、このＨＤＭＩケーブル２００Ｂｂの制御信号線（ＣＥＣ，ＤＤＣ，ＨＰＤの各ライン）に接続される。
【００７３】
ドングル２００Ｂａの制御回路２３５は、新規格ケーブル２３７の制御信号線を介して、インピーダンス検出により、相手、すなわちモバイルフォーン１１０Ａが新規格対応機器であることを確認できる。また、ドングル２００Ｂａの制御回路２３６は、ＨＰＤラインが高レベル“Ｈ”になることを確認して、相手、すなわちテレビ受信機１２０ＢがＨＤＭＩ対応機器であることを確認できる。
【００７４】
ここで、図１２を参照して、新規格／ＨＤＭＩ変換回路２３４および制御回路２３５，２３６による、ＨＤＭＩにおけるＣＥＣ，ＤＤＣ，ＨＰＤのラインの信号と新規格におけるＣＢＵＳラインの信号の双方向変換について説明する。なお、この図１２において、制御回路２３５，２３６は、当該双方向変換に関係する部分のみを示している。
【００７５】
新規格側の制御信号線（ＣＢＵＳライン）は１本の信号線であることから、ドングル２００Ｂａの制御回路２３５とモバイルフォーン１１０Ａの制御回路１１３Ａがそれぞれ有する送受信切り換え回路同士が通信を行って、どちらかが送信権を得る。送信権を得た側の送信回路が信号（コマンド）を制御信号線上に送出し、反対側の受信回路がこのコマンドを受信する。
【００７６】
制御回路２３５の受信回路が信号を受信した場合、新規格／ＨＤＭＩ変換回路２３４の受信信号識別回路は、受信した信号の種別により、制御回路２３６のＣＥＣ送受信回路またはＤＤＣ送受信回路へ送り、ＨＤＭＩ側に送出する。一方、制御回路２３６は、ＨＤＭＩ側からＣＥＣ送受信回路、ＤＤＣ送受信回路、ＨＰＤ受信回路で受信したＣＥＣ，ＤＤＣ，ＨＰＤの各信号を、新規格／ＨＤＭＩ変換回路２３４の送信信号構成回路を通じて制御回路２３５の送信回路に送り、新規格側に送出する。
【００７７】
図１１に戻って、テレビ受信機１２０Ｂは、ＨＤＭＩ受信回路１２２Ｂと、制御回路１２３Ｂを有している。ＨＤＭＩ受信回路１２２Ｂは、ＨＤＭＩのデジタルインタフェースに対応可能なデータ受信部（図２参照）を構成している。制御回路１２３Ｂは、テレビ受信機１２０Ｂの各部の動作を制御する。ＨＤＭＩ受信回路１２２Ｂおよび制御回路１２３Ｂは、コネクタ部１２１Ｂに接続されている。
【００７８】
図１１に示すＡＶシステム１００Ｂにおいて、モバイルフォーン１１０Ａの新規格送信回路１１２Ａから出力される新規格のＡ／Ｖ信号は、ドングル２００Ｂａの新規格ケーブル２３７のＡ／Ｖ信号線を介して、新規格／ＨＤＭＩ変換回路２３３に入力される。この新規格／ＨＤＭＩ変換回路２３３では、入力された新規格のＡ／Ｖ信号、すなわち１対の差動信号線で伝送するＡ／Ｖ信号が、３対の差動信号線で伝送するＨＤＭＩのＡ／Ｖ信号に変換されて出力される。このＨＤＭＩのＡ／Ｖ信号は、ＨＤＭＩケーブル２００ＢｂのＡ／Ｖ信号線を介して、テレビ受信機１２０ＢのＨＤＭＩ受信回路１２２Ｂで受信される。
【００７９】
図１１に示すＡＶシステム１００Ｂにおいて、ソース機器としてのモバイルフォーン１１０Ａは新規格に対応し、シンク機器としてのテレビ受信機１２０ＢはＨＤＭＩに対応している。しかし、新規格／ＨＤＭＩの変換回路を持つドングル２００Ｂａを用いることで、モバイルフォーン１１０Ａからテレビ受信機１２０ＢへのＡ／Ｖ信号の送信が可能となる。
【００８０】
図１３は、ＡＶシステム１００Ｃの構成例を示している。この図１３において、図１１と対応する部分には同一符号を付し、適宜、その詳細説明は省略する。このＡＶシステム１００Ｃは、ソース機器としてのモバイルフォーン１１０Ａと、シンク機器としてのテレビ受信機１２０Ｃが接続されて構成されている。モバイルフォーン１１０Ａは新規格に対応しており、テレビ受信機１２０Ｃは、新規格およびＨＤＭＩの双方に対応している。モバイルフォーン１１０Ａおよびテレビ受信機１２０Ｃは、信号変換装置としてのドングル（Dongle）２００ＢａおよびＨＤＭＩケーブル２００Ｂｂの直列回路により接続されている。
【００８１】
テレビ受信機１２０Ｃは、ＨＤＭＩ／新規格受信回路１２２Ｃと、制御回路１２３Ｃと、検出回路１２４と、定電圧回路１２５と、スイッチ回路１２６を有している。ＨＤＭＩ／新規格受信回路１２２Ｃは、ＨＤＭＩおよび新規格の双方のデジタルインタフェースに対応可能なデータ受信部（図２、図５参照）を構成している。制御回路１２３Ｃは、テレビ受信機１２０Ｃの各部の動作を制御する。ＨＤＭＩ／新規格受信回路１２２Ｃおよび制御回路１２３Ｃは、コネクタ部１２１Ｃに接続されている。
【００８２】
検出回路１２４は、新規格ケーブル（図９参照）に配置されている抵抗を検出することで、新規格ケーブルの接続を検出する。スイッチ回路１２６は、検出回路１２４の検出出力に基づき、新規格ケーブルの接続があるときに接続状態となり、定電圧回路１２５からコネクタ部１２１Ｃを介して、新規格ケーブルの電源線に電源を供給する。これにより、テレビ受信機１２０Ｃから新規格ケーブルを介してモバイルフォーン１１０Ａに電源を供給できる。
【００８３】
図１３に示すＡＶシステム１００Ｃの場合、モバイルフォーン１１０Ａとテレビ受信機１２０Ｃとの間にドングル２００Ｂａが介在されているため、テレビ受信機１２０ＣのＨＤＭＩ／新規格受信回路１２２Ｃは、ＨＤＭＩモードで動作する。すなわち、この場合の動作は、図１１のＡＶシステム１００Ｂと同様になる。
【００８４】
上述したように、モバイルフォーン１１０Ａは新規格に対応しており、テレビ受信機１２０Ｃは、新規格およびＨＤＭＩの双方に対応している。そのため、これらを新規格ケーブルで接続すれば、テレビ受信機１２０ＣのＨＤＭＩ／新規格受信回路１２２Ｃを新規格モードで動作させことができ、モバイルフォーン１１０Ａとテレビ受信機１２０Ｃを新規格のデジタルインタフェースで接続できる。しかも、テレビ受信機１２０Ｃからモバイルフォーン１１０Ａに電源を供給できる。しかし、上述したようにモバイルフォーン１１０Ａとテレビ受信機１２０Ｃとの間にドングル２００Ｂａが介在されることで、新規格固有の機能が使えなくなる。
【００８５】
図１４は、実施の形態としてのＡＶシステム１００Ｄの構成例を示している。この図１４において、図１３と対応する部分には同一符号を付し、適宜、その詳細説明は省略する。このＡＶシステム１００Ｄは、ソース機器としてのモバイルフォーン１１０Ａと、シンク機器としてのテレビ受信機１２０Ｃが接続されて構成されている。モバイルフォーン１１０Ａは新規格に対応しており、テレビ受信機１２０Ｃは、新規格およびＨＤＭＩの双方に対応している。モバイルフォーン１１０Ａおよびテレビ受信機１２０Ｃは、信号変換装置としてのドングル（Dongle）２００ＤａおよびＨＤＭＩケーブル２００Ｂｂの直列回路により接続されている。
【００８６】
モバイルフォーン１１０Ａは、新規格送信回路１１２Ａと、制御回路１１３Ａと、バッテリ１１４と、充電回路１１５を有している。新規格送信回路１１２Ａは、新規格のデジタルインタフェースに対応可能なデータ送信部（図５参照）を構成している。制御回路１１３Ａは、モバイルフォーン１１１Ａの各部の動作を制御する。新規格送信回路１１２Ａおよび制御回路１１３Ａは、コネクタ部１１１Ａに接続されている。
【００８７】
テレビ受信機１２０Ｃは、ＨＤＭＩ／新規格受信回路１２２Ｃと、制御回路１２３Ｃと、検出回路１２４と、定電圧回路１２５と、スイッチ回路１２６を有している。ＨＤＭＩ／新規格受信回路１２２Ｃは、ＨＤＭＩおよび新規格の双方のデジタルインタフェースに対応可能なデータ受信部（図２、図５参照）を構成している。制御回路１２３Ｃは、テレビ受信機１２０Ｃの各部の動作を制御する。ＨＤＭＩ／新規格受信回路１２２Ｃおよび制御回路１２３Ｃは、コネクタ部１２１Ｃに接続されている。
【００８８】
検出回路１２４は、ＨＤＭＩレセプタクルの特定の２つのピン間に抵抗が挿入されているか否かを検出する。例えば、ＨＤＭＩレセプタクルに新規格ケーブルが接続されるとき、検出回路１２４は、その新規格ケーブルに設けられている抵抗を検出する（図９参照）。この実施の形態において、ＨＤＭＩレセプタクルにＨＤＭＩケーブル２００Ｂｂを介してドングル２００Ｄａが接続されているので、検出回路１２４は、そのドングル２００Ｄａに設けられている抵抗２３８を検出する。
【００８９】
スイッチ回路１２６は、検出回路１２４の検出出力に基づき、抵抗挿入があるときに接続状態となり、定電圧回路１２５からコネクタ部１２１Ｃを介して抵抗が配置されている機器に電源を供給する。この実施の形態において、ＨＤＭＩレセプタクルにＨＤＭＩケーブル２００Ｂｂを介してドングル２００Ｄａが接続されているので、定電圧回路１２５からＨＤＭＩケーブル２００Ｂｂを介してドングル２００Ｄａの電源線に電源を供給する。
【００９０】
ドングル２００Ｄａは、内部回路とソース機器、ここではモバイルフォーン１１０Ａに給電するための電源線２３１と、この電源線２３１にＡＣアダプタ等の外部電源３００からの電源を供給するための電源入力部２３２を有している。また、このドングル２００Ｄａは、Ａ／Ｖ信号に関する新規格／ＨＤＭＩ変換回路２３３と、制御信号に関する新規格／ＨＤＭＩ変換回路２３４と、ソース側の制御回路２３５Ｄと、シンク側の制御回路２３６Ｄを有している。
【００９１】
新規格／ＨＤＭＩ変換回路２３３は、１対の差動信号線で伝送する新規格のＡ／Ｖ信号（画像データ、それに付随する音声データや制御データ、その他の補助データ等）を入力し、３対の差動信号線で伝送するＨＤＭＩのＡ／Ｖ信号に変換して出力する。新規格／ＨＤＭＩ変換回路２３４は、制御回路２３５Ｄ，２３６Ｄと相俟って、ＨＤＭＩにおけるＣＥＣ，ＤＤＣ，ＨＰＤのラインの信号と新規格におけるＣＢＵＳラインの信号を、双方向に変換する。
【００９２】
ドングル２００Ｄａは、ソース側に新規格ケーブル２３７を備えている。この新規格ケーブル２３７の先端には、例えばマイクロＵＳＢコネクタに対応した構成のプラグが設けられている。このプラグが、コネクタ部１１１Ａにおいて、モバイルフォーン１１０Ａのレセプタクルに接続される。これにより、ドングル２００Ｄａとモバイルフォーン１１０Ａとの接続が図られる。
【００９３】
上述した電源線２３１は、この新規格ケーブル２３７の電源線に接続されている。これにより、テレビ受信機１２０Ｃあるいは外部電源３００からの電源が新規格ケーブル２３７の電源線を介して、モバイルフォーン１１０Ａに供給される。また、上述した新規格／ＨＤＭＩ変換回路２３３の入力側は、この新規格ケーブル２３７のＡ／Ｖ信号線（新規格）に接続されている。さらに、上述した制御回路２３５Ｄは、この新規格ケーブル２３７の制御信号線（ＣＢＵＳライン）に接続されている。
【００９４】
また、ドングル２００Ｄａは、シンク側に、例えばＨＤＭＩコネクタ（タイプＡ）に対応した構成のレセプタクルが設けられている。このレセプタクルに、ＨＤＭＩケーブル２００Ｂｂの一方のプラグが接続されて、コネクタ部２３０が構成されている。
【００９５】
上述した新規格／ＨＤＭＩ変換回路２３３の出力側、あるいは、上述の新規格ケーブル２３７のＡ／Ｖ信号線（新規格）は、スイッチ回路ＳＷ１により、選択的に、ＨＤＭＩケーブル２００ＢｂのＡ／Ｖ信号線に接続される。新規格／ＨＤＭＩ変換回路２３３の出力側が選択されるとき、ＨＤＭＩケーブル２００ＢｂのＡ／Ｖ信号線（ＨＤＭＩ）は３対の差動信号線により構成される。一方、新規格ケーブル２３７のＡ／Ｖ信号線（新規格）が選択されるとき、ＨＤＭＩケーブル２００ＢｂのＡ／Ｖ信号線（新規格）は１対の差動信号線により構成される。
【００９６】
また、上述した制御回路２３６Ｄは、このＨＤＭＩケーブル２００Ｂｂの制御信号線に接続される。上述のスイッチ回路ＳＷ１が新規格／ＨＤＭＩ変換回路２３３の出力側を選択するとき、制御回路２３６Ｄは、ＨＤＭＩケーブル２００ＢｂのＨＤＭＩの制御信号線（ＣＥＣ，ＤＤＣ，ＨＰＤの各ライン）に接続される。一方、上述のスイッチ回路ＳＷ１が新規格ケーブル２３７のＡ／Ｖ信号線（新規格）を選択するとき、制御回路２３６Ｄは、新規格の制御信号線（ＣＢＵＳライン）に接続される。
【００９７】
また、ドングル２００Ｄａは、制御回路２３５Ｄと新規格／ＨＤＭＩ変換回路２３４との間にスイッチ回路ＳＷ３を有し、さらに、新規格／ＨＤＭＩ変換回路２３４と制御回路２３６Ｄとの間にスイッチ回路ＳＷ２を有している。制御回路２３６Ｄは、後述するように、スイッチ回路ＳＷ２，ＳＷ３、さらには上述したスイッチ回路ＳＷ１の切り換え動作を制御する。
【００９８】
スイッチ回路ＳＷ２，ＳＷ３は、上述のスイッチ回路ＳＷ１が新規格／ＨＤＭＩ変換回路２３３の出力側を選択するとき、制御回路２３５Ｄ，２３６Ｄを新規格／ＨＤＭＩ変換回路２３４に接続する。これにより、ＨＤＭＩにおけるＣＥＣ，ＤＤＣ，ＨＰＤの各ラインの信号と新規格におけるＣＢＵＳラインの信号を、双方向に変換する状態となる。一方、スイッチ回路ＳＷ２，ＳＷ３は、上述のスイッチ回路ＳＷ１が新規格ケーブル２３７のＡ／Ｖ信号線（新規格）を選択するとき、制御回路２３５Ｄ，２３６Ｄを直接接続する。これにより、新規格におけるＣＢＵＳラインの信号のみを双方向に伝送する状態となる。
【００９９】
新規格／ＨＤＭＩ変換回路２３４および制御回路２３５Ｄ，２３６Ｄによる双方向変換は、図１１のＡＶシステム１００Ｂのドングル２００Ｂａにおける新規格／ＨＤＭＩ変換回路２３４および制御回路２３５，２３６による双方向変換と同じである（図１２参照）。なお、図示は省略するが、制御回路２３５Ｄ，２３６Ｄが直接接続される場合には、新規格ケーブル２３７の制御信号線（ＣＢＵＳライン）が、ＨＤＭＩケーブル２００Ｂｂの制御信号線（ＣＢＵＳライン）に直接接続される状態となる。
【０１００】
また、ドングル２００Ｄａは、新規格対応のシンク機器に電源の供給を促すための抵抗２３８を備えている。この抵抗２３８は、ＨＤＭＩレセプタクルの特定の２つのピン間に挿入されている。テレビ受信機１２０Ｃは、上述したように、この抵抗２３８を検出することで、ＨＤＭＩケーブル２００Ｂｂを介して、ドングル２００Ｄａへの電源供給を開始する。
【０１０１】
また、ドングル２００Ｄａは、外部電源３００からの電源入力と、新規格対応のシンク機器、この実施の形態ではテレビ受信機１２０Ｃからの電源入力との干渉を防止する電源干渉防止部を有している。この電源干渉防止部は、ダイオードＤ１，Ｄ２からなるダイオードブリッジにより構成されている。ダイオードＤ１は、電源入力部２３２から電源線２３１への電源供給経路に挿入されている。また、ダイオードＤ２は、シンク機器（テレビ受信機１２０Ｃ）から電源線２３１への電源供給経路に挿入されている。
【０１０２】
なお、電源干渉防止部は、例えば、シンク機器（テレビ受信機１２０Ｃ）から電源線２３１への電源の供給が開始されるとき、電源入力部２３２から電源線２３１への電源供給経路を切断するスイッチ回路を用いて構成することも考えられる。
【０１０３】
モバイルフォーン１１０Ａの制御回路１１３Ａおよびドングル２００Ｄａの制御回路２３５Ｄは、新規格ケーブル２３７の制御信号線を介して、インピーダンス検出により、相手が新規格対応機器であるか確認する。この確認の後、制御回路１１３Ａと制御回路２３５Ｄとの間は、制御信号線（ＣＢＵＳライン）上を双方向でコマンド通信することが可能となる。
【０１０４】
ここで、図１５を参照して、制御回路１１３Ａ，２３５Ｄにおけるインピーダンス検出手順について説明する。例えば、制御回路２３５Ｄ内で制御信号線とグランド線（ＧＮＤ線）との間に挿入されるプルダウン（Pull-Down）抵抗２３５ａの抵抗値Ｒ１を１ｋΩとする。また、例えば、制御回路１１３Ａ内で制御信号線と電源（Ｖcc＝＋５Ｖ）との間に挿入されるプルアップ（Pull-Up）抵抗１１３ａの抵抗値Ｒ２を１００ｋΩとする。
【０１０５】
制御回路１１３Ａの検出回路１１３ｂは、制御信号線の電圧をモニタし、基準の電圧（Ｖref）より高い場合は、高レベル“Ｈ”を出力し、逆に低い場合は、低レベル“Ｌ”を出力する。ここで、Ｖrefは、Ｖcc＊Ｒ１／（Ｒ１＋Ｒ２）＝５Ｖ＊１／１０１＝約０．０５Ｖより高い電圧、例えば、２．５Ｖに設定される。
【０１０６】
新規格ケーブル２３７（ドングル２００Ｄａ）が接続される前は、制御信号線の電圧は、ほぼＶccであり、検出回路１１３ｂの出力は高レベル“Ｈ”である。新規格ケーブル２３７（ドングル２００Ｄａ）が接続されると、制御信号線２０４の電圧は、抵抗１１３ａ，１２３ａで分圧された電圧（約０．０５Ｖ）になり、検出回路１１３ｂの出力は高レベル“Ｌ”となる。これにより、モバイルフォーン１１０Ａの制御回路１１３Ａは、新規格対応のドングル２００Ｄａが接続されたことを検出できる。
【０１０７】
次に、制御回路１１３Ａのパルス送信回路１１３ｃから、予め決められたパルス列を送信する。制御回路２３５Ｄのパルス受信回路２３５ｂは、制御回路１１３Ａから送られてくるパルス列を受信する。これにより、ドングル２００Ｄａの制御回路２３５Ｄは、新規格対応のソース機器、この実施の形態ではモバイルフォーン１１０Ａが接続されたことを検出できる。
【０１０８】
図１４に戻って、ドングル２００Ｄａの制御回路２３６Ｄは、シンク機器、この実施の形態においてはテレビ受信機１２０Ｃが新規格対応か新規格非対応（ＨＤＭＩ対応）かを、以下の手順で判定し、スイッチ回路ＳＷ１，ＳＷ２，ＳＷ３の切り換え動作を制御する。最初に、制御回路２３６Ｄは、ＨＰＤラインが高レベル“Ｈ”になることを確認して、テレビ受信機１２０ＣがＨＤＭＩ対応機器であることを確認する。
【０１０９】
次に、制御回路２３６Ｄは、インピーダンス検出により、テレビ受信機１２０Ｃが新規格対応機器であることを確認する。このインピーダンス検出の手順は、詳細説明は省略するが、図９に示すＡＶシステム１００Ａのモバイルフォーン１１０Ａの制御回路１１３Ａおよびテレビ受信機１２０Ａの制御回路１２３Ａにおけるインピーダンス検出の手順と同様である（図１０参照）。
【０１１０】
ドングル２００Ｄａに制御回路２３６Ｄは、シンク機器が新規格対応であると判定するとき、スイッチ回路ＳＷ１，ＳＷ２，ＳＷ３を、以下のように制御する。すなわち、スイッチ回路ＳＷ１に関しては、新規格ケーブル２３７のＡ／Ｖ信号線（新規格）を選択するように制御する。また、スイッチ回路ＳＷ２，ＳＷ３に関しては、制御回路２３５Ｄ，２３６Ｄを直接接続するように制御する。
【０１１１】
一方、ドングル２００Ｄａの制御回路２３６Ｄは、シンク機器が新規格非対応（ＨＤＭＩ対応）であると判定するとき、スイッチ回路ＳＷ１，ＳＷ２，ＳＷ３を、以下のように制御する。すなわち、スイッチ回路ＳＷ１に関しては、新規格／ＨＤＭＩ変換回路２３３の出力側を選択するように制御する。また、スイッチ回路ＳＷ２，ＳＷ３に関しては、制御回路２３５Ｄ，２３６Ｄを新規格／ＨＤＭＩ変換回路２３４に接続するように制御する。
【０１１２】
図１４に示すＡＶシステム１００Ｄの動作を説明する。ドングル２００Ｄａが新規格ケーブル２３７によりモバイルフォーン１１０Ａに接続されると、モバイルフォーン１１０Ａの制御回路１１３Ａおよびドングル２００Ｄａの制御回路２３５Ｄは、インピーダンス検出により、相手が新規格対応機器であることを確認する。この確認の後、制御回路１１３Ａと制御回路２３５Ｄとの間は、制御信号線（ＣＢＵＳライン）上を双方向でコマンド通信すること可能となる。
【０１１３】
また、ドングル２００ＤａにＨＤＭＩケーブル２００Ｂｂによりテレビ受信機１２０Ｃが接続されると、テレビ受信機１２０Ｃは、ドングル２００Ｄａの抵抗２３８を検出する。そして、テレビ受信機１２０Ｃは、検出回路１２４の検出出力に基づいてスイッチ回路１２６を接続状態とし、定電圧回路１２５から、ＨＤＭＩケーブル２００Ｂｂを介して、ドングル２００Ｄａへの電源供給を開始する。なお、このようにテレビ受信機１２０Ｃからの電源が供給されるまで、ドングル２００Ｄａは、外部電源３００から供給される電源により動作する。
【０１１４】
また、ドングル２００ＤａにＨＤＭＩケーブル２００Ｂｂでテレビ受信機１２０Ｃが接続されると、ドングル２００Ｄａの制御回路２３６Ｄおよびテレビ受信機１２０Ｃの制御回路１２３Ｃは、インピーダンス検出により、相手が新規格対応機器であることを確認する。この確認の後、テレビ受信機１２０ＣのＨＤＭＩ／新規格受信回路１２２Ｃは、新規格受信回路として動作するようにモード切り換えが行われる。また、この確認の後、制御回路２３６Ｄと制御回路１２３Ｃとの間は、制御信号線（ＣＢＵＳライン）上を双方向でコマンド通信すること可能となる。
【０１１５】
また、上述の確認の後、制御回路２３６Ｄにより、スイッチ回路ＳＷ１，ＳＷ２，ＳＷ３は、以下のように制御される。すなわち、スイッチ回路ＳＷ１は、図示のように、新規格ケーブル２３７のＡ／Ｖ信号線（新規格）を選択するように制御される。また、スイッチ回路ＳＷ２，ＳＷ３は、図示のように、制御回路２３５Ｄ，２３６Ｄを直接接続するように制御される。
【０１１６】
上述の状態において、モバイルフォーン１１０Ａの新規格送信回路１１２Ａから出力される新規格のＡ／Ｖ信号（画像データ、それに付随する音声データや制御データ、その他の補助データ等）は、ドングル２００Ｄａをそのまま通過する。そして、このＡ／Ｖ信号は、ＨＤＭＩケーブル２００ＢｂのＡ／Ｖ信号線（新規格）を介して、テレビ受信機１２０ＣのＨＤＭＩ/新規格受信回路１２２Ｃで受信される。
【０１１７】
図１６は、図１４のＡＶシステム１００Ｄにおけるテレビ受信機１２０Ｃの代わりに、新規格非対応（ＨＤＭＩ対応）のテレビ受信機１２０Ｂを接続したＡＶシステム１００Ｅを示している。このＡＶシステム１００Ｅの場合、ドングル２００ＤａにＨＤＭＩケーブル２００Ｂｂによりテレビ受信機１２０Ｂが接続されると、ドングル２００Ｄａの制御回路２３６Ｄは、インピーダンス検出により、相手が新規格非対応機器であることを確認する。
【０１１８】
この確認の後、制御回路２３６Ｄにより、スイッチ回路ＳＷ１，ＳＷ２，ＳＷ３は、以下のように制御される。すなわち、スイッチ回路ＳＷ１は、図示のように、新規格／ＨＤＭＩ変換回路２３３の出力側を選択するように制御される。また、スイッチ回路ＳＷ２，ＳＷ３は、制御回路２３５Ｄ，２３６Ｄを新規格／ＨＤＭＩ変換回路２３４に接続するように制御される。
【０１１９】
上述の状態において、モバイルフォーン１１０Ａの新規格送信回路１１２Ａから出力される新規格のＡ／Ｖ信号（画像データ、それに付随する音声データや制御データ、その他の補助データ等）は、ドングル２００Ｄａの新規格／ＨＤＭＩ変換回路２３３に入力される。この新規格／ＨＤＭＩ変換回路２３３では、入力された新規格のＡ／Ｖ信号、すなわち１対の差動信号線で伝送するＡ／Ｖ信号が、３対の差動信号線で伝送するＨＤＭＩのＡ／Ｖ信号に変換されて出力される。このＨＤＭＩのＡ／Ｖ信号は、ＨＤＭＩケーブル２００ＢｂのＡ／Ｖ信号線（ＨＤＭＩ）を介して、テレビ受信機１２０ＢのＨＤＭＩ受信回路１２２Ｂで受信される。
【０１２０】
上述したように、本実施の形態において、ドングル２００Ｄａは、新規格対応のテレビ受信機１２０Ｃが接続されるとき、信号変換を行わない状態となる。そして、モバイルフォーン１１０Ａとテレビ受信機１２０Ｃは、新規格で直接接続された状態となり、新規格固有の機能が使える状態となる。そのため、ユーザの利便性の向上を図ることができる。
【０１２１】
また、本実施の形態において、ドングル２００Ｄａは、新規格対応のシンク機器に電源の供給を促すための抵抗２３８を備えている。そのため、新規格対応のテレビ受信機１２０Ｃが接続されるとき、このテレビ受信機１２０Ｃから電源の供給を受けることができる。従って、ＡＣアダプタ等の外部電源から電源の供給を受けることなく、動作が可能となる。
【０１２２】
また、本実施の形態において、ドングル２００Ｄａは、外部電源３００からの電源入力と、新規格対応のシンク機器（テレビ受信機１２０Ｃ）からの電源入力との干渉を防止する電源干渉防止部を有している。そのため、ＡＣアダプタ等の外部電源３００からも、良好に電源供給が可能となる。
【０１２３】
＜２．変形例＞
なお、上述実施の形態において、ドングル２００Ｄａは、外部電源３００あるいはシンク機器（テレビ受信機１２０Ｃ）から電源供給を受けることができるが、さらに、ソース機器から電源を受ける構成も考えられる。この場合、外部電源３００が接続されていなく、しかもシンク機器からの電源供給が開始されていない状態において、有効なものとなる。
【０１２４】
図１７は、ソース機器（モバイルフォーン）から電源を受けることが可能なＡＶシステム１００Ｆの構成例を示している。この図１７において、図１４と対応する部分には同一符号を付し、適宜、その詳細説明は省略する。このＡＶシステム１００Ｆは、ソース機器としてのモバイルフォーン１１０Ｆと、シンク機器としてのテレビ受信機１２０Ｃが接続されて構成されている。モバイルフォーン１１０Ｆは新規格に対応しており、テレビ受信機１２０Ｃは、新規格およびＨＤＭＩの双方に対応している。モバイルフォーン１１０Ｆおよびテレビ受信機１２０Ｃは、信号変換装置としてのドングル２００ＤａおよびＨＤＭＩケーブル２００Ｂｂの直列回路により接続されている。
【０１２５】
図１７に示すＡＶシステム１００Ｆは、モバイルフォーン１１０Ｆを除き、図１４に示すＡＶシステム１００Ｄと同様に構成され、同様に動作する。モバイルフォーン１１０Ｆについて説明する。モバイルフォーン１１０Ｆは、新規格送信回路１１２Ａと、制御回路１１３Ａと、バッテリ１１４と、充電回路１１５と、電源端子１１６を有している。充電回路１１５は、バッテリ１１４を充電するための回路である。電源端子１１６は、レセプタクルの１つの端子（ピン）であり、新規格ケーブル２３７のプラグがコネクタ部１１１Ａでレセプタクルに接続されるとき、その電源線が接続される端子である。
【０１２６】
モバイルフォーン１１０Ｆにおいて、電源端子１１６は、スイッチ回路ＳＷ５を介して、充電回路１１５に接続されている。また、バッテリ１１４の出力はスイッチ回路ＳＷ６を介して、電源端子１１６に接続されている。制御回路１１３Ａは、スイッチ回路ＳＷ５，ＳＷ６の接続／非接続を制御する。制御回路１１３Ａは、スイッチ回路ＳＷ６が非接続でスイッチ回路ＳＷ５が接続という接続状態（第１の接続状態）で、電源端子１１６の電圧が規定値より低いか否かを判定する。
【０１２７】
制御回路１１３Ａは、電圧が規定値以上であるときは、上述の第１の接続状態を維持するが、電圧が規定値より低いときは、スイッチ回路ＳＷ６が接続でスイッチ回路ＳＷ５が非接続という接続状態（第２の接続状態）を選択するように切り換える。詳細説明は省略するが、モバイルフォーン１１０Ｆのその他は、図１４のＡＶシステム１００Ｄのモバイルフォーン１１０Ａと同様に構成されている。
【０１２８】
図１７に示すＡＶシステム１００Ｆにおいて、例えば、ドングル２００Ｄａにテレビ受信機１２０Ｃが接続されていない場合、ドングル２００Ｄａの電源線２３１、従って、モバイルフォーン１１０Ｆの電源端子１１６の電圧は規定値より低くなっている。そのため、制御回路１１３Ａにより、スイッチ回路ＳＷ６が接続でスイッチ回路ＳＷ５が非接続という接続状態（第２の接続状態）に切り換えられる。
【０１２９】
これにより、モバイルフォーン１１０Ｆのバッテリ１１４から、スイッチ回路ＳＷ６、電源端子１１６および新規格ケーブル２３７の電源線を通じて、ドングル２００Ｄａの電源線２３１に電源が供給される。そのため、ドングル２００Ｄａは、外部電源が接続されていなく、しかもテレビ受信機１２０Ｃからの電源供給がない状態にあっても、動作が可能となる。
【０１３０】
この状態にあって、ドングル２００Ｄａにテレビ受信機１２０Ｃが接続される場合、上述したように、テレビ受信機１２０Ｃの定電圧回路１２５からドングル２００Ｄａの電源線２３１に電源が供給される状態となる。テレビ受信機１２０Ｃが接続された場合、ドングル２００Ｄａの制御回路２３５Ｄとモバイルフォーン１１０Ｆの制御回路１１３Ａとの間の通信で、制御回路１１３Ａに、テレビ受信機１２０Ｃの接続、つまりテレビ受信機１２０Ｃからの電源供給が通知される。
【０１３１】
テレビ受信機１２０Ｃの接続通知を受けたモバイルフォーン１１０Ｆの制御回路１１３Ａは、スイッチ回路ＳＷ６が非接続でスイッチ回路ＳＷ５が接続という接続状態（第１の接続状態）を選択するように切り換える。これにより、テレビ受信機１２０Ｃからの電源が、ドングル２００Ｄａを経由し、モバイルフォーン１１０Ｆに供給される状態となる。
【０１３２】
また、上述実施の形態においては、ソース機器がモバイルフォーンで、シンク機器がテレビ受信機である例を示した。しかし、本技術の信号変換装置（ドングル）は、ソース機器およびシンク機器がその他の電子機器である場合にも、同様に適用できることは勿論である。
【０１３３】
また、上述実施の形態においては、第１の伝送規格が新規格（図５参照）であり、第２の伝送規格がＨＤＭＩ（図２参照）である例を示した。しかし、本技術において、第１の伝送規格および第２の伝送規格は、これに限定されるものではない。
【０１３４】
また、本技術は、以下のような構成をとることもできる。
（１）第１の外部機器から入力された第１の伝送規格信号を第２の伝送規格信号に変換する信号変換部と、
上記第１の外部機器から入力された第１の伝送規格信号または上記信号変換部で得られた第２の伝送規格信号を出力信号として選択する信号選択部と、
上記信号選択部で選択された出力信号が供給される第２の外部機器が対応する伝送規格に応じて上記信号選択部の選択動作を制御する制御部とを備える
信号変換装置。
（２）上記制御部は、
上記第２の外部機器が上記第１の伝送規格に対応しているとき、上記信号選択部が上記第１の伝送規格信号を出力信号として選択するように制御する
前記（１）に記載の信号変換装置。
（３）上記制御部は、
上記第２の外部機器のインピーダンス検出を行うことで、該第２の外部機器が上記第１の伝送規格に対応しているか否かを判別する
前記（２）に記載の信号変換装置。
（４）上記伝送規格では、画像データおよび音声データを差動信号線で伝送し、さらに、別の信号線で制御信号を伝送する
前記（１）から（３）のいずれかに記載の信号変換装置。
（５）上記第１の伝送規格では、第１の本数の信号線を用いて上記第１の伝送規格信号を伝送し、
上記第２の伝送規格では、上記第１の本数よりも多い第２の本数の信号線を用いて上記第２の伝送規格信号を伝送する
前記（４）に記載の信号変換装置。
（６）上記第１の伝送規格では、上記画像データおよび上記音声データを１対の差動信号線を用いて伝送し、
上記第２の伝送規格では、上記画像データおよび上記音声データを３対の差動信号線を用いて伝送する
前記（５）に記載の信号変換装置。
（７）内部回路に給電する電源を、上記第１の外部機器または上記第２の外部機器から受け取る電源受信部をさらに備える
前記（１）から（６）のいずれかに記載の信号変換装置。
（８）上記内部回路および上記第１の外部機器に給電するための電源線をさらに備え、
上記電源線には、上記第２の外部機器が上記第１の伝送規格に対応しているとき、該第２の外部機器から電源が供給される
前記（７）に記載の信号変換装置。
（９）上記第２の外部機器に上記電源の供給を促すための抵抗器をさらに備え、
上記第２の外部機器は、上記抵抗器を検出することで、上記電源線に電源を供給する
前記（８）に記載の信号変換装置。
（１０）上記電源線に、外部電源からの電源を供給するための電源入力部と、
上記第２の外部機器からの電源入力と上記外部電源からの電源入力との干渉を防止する電源干渉防止部とをさらに備える
前記（８）または（９）に記載の信号変換装置。
（１１）上記電源干渉防止部は、
上記第２の外部機器から上記電源線への電源供給経路に挿入される第１のダイオードと、上記電源入力部から上記電源線への電源供給経路に挿入される第２ダイオードとからなるダイオードブリッジである
前記（１０）に記載の信号変換装置。
（１２）第１の外部機器から入力された第１の伝送規格信号を第２の伝送規格信号に変換する信号変換ステップと、
上記第１の外部機器から入力された第１の伝送規格信号または上記信号変換ステップで得られた第２の伝送規格信号を出力信号として選択する信号選択ステップと、
上記信号選択ステップで選択された出力信号が供給される第２の外部機器が対応する伝送規格に応じて上記信号選択ステップの選択動作を制御する制御ステップとを備える
信号変換方法。
（１３）バッテリと、
上記バッテリを充電する充電部と、
電源端子と、
上記電源端子を上記充電部に接続する第１の接続状態または上記バッテリの出力を上記電源端子に接続する第２の接続状態を選択する状態選択部と、
上記状態選択部の選択動作を制御する制御部とを備え、
上記制御部は、
上記第１の接続状態が選択された状態で上記電源端子の電圧が規定値より低いとき、上記第２の接続状態を選択するように上記状態選択部の選択動作を制御する
端末装置。
（１４）上記制御部は、
上記第２の接続状態が選択されているとき、上記電源端子に電源を供給する外部機器からの電源供給の通知に基づいて、上記第１の接続状態を選択するように上記状態選択部の選択動作を制御する
前記（１３）に記載の端末装置。
（１５）第１の伝送規格信号を出力する信号出力部をさらに備え、
上記外部機器は、上記信号出力部から出力される第１の伝送規格信号を第２の伝送規格信号に変換する機能を有する
前記（１４）に記載の端末装置。
【符号の説明】
【０１３５】
１００Ｄ，１００Ｆ・・・ＡＶシステム
１１０Ａ，１１０Ｆ・・・モバイルフォーン
１１１Ａ，１２１Ｃ，２３０・・・コネクタ部
１１２Ａ・・・新規格送信回路
１１３Ａ，１２３Ｃ，２３５Ｄ，２３６Ｄ・・・制御回路
１１４・・・バッテリ
１１５・・・充電回路
１１６・・・電源端子
１２０Ｃ・・・テレビ受信機
１２２Ｃ・・・ＨＤＭＩ／新規格受信回路
１２４・・・検出回路
１２５・・・定電圧回路
１２６・・・スイッチ回路
２００Ｂｂ・・・ＨＤＭＩケーブル
２００Ｄａ・・・ドングル（信号変換装置）
２３１・・・電源線
２３２・・・電源入力部
２３３，２３４・・・新規格／ＨＤＭＩ変換回路
２３７・・・新規格ケーブル
２３８・・・抵抗
３００・・・外部電源
【図１】
2013046123.tif 000003
【図２】
2013046123.tif 000004
【図３】
2013046123.tif 000005
【図４】
2013046123.tif 000006
【図５】
2013046123.tif 000007
【図６】
2013046123.tif 000008
【図７】
2013046123.tif 000009
【図８】
2013046123.tif 000010
【図９】
2013046123.tif 000011
【図１０】
2013046123.tif 000012
【図１１】
2013046123.tif 000013
【図１２】
2013046123.tif 000014
【図１３】
2013046123.tif 000015
【図１４】
2013046123.tif 000016
【図１５】
2013046123.tif 000017
【図１６】
2013046123.tif 000018
【図１７】
2013046123.tif 000019